(57)【特許請求の範囲】
【請求項１】
コンクリート基礎内に埋設されて上向きに開口する排水管に、桝の流出部を接合する桝の接合構造において、
前記桝は、側壁部と、当該側壁部の側部に設けられるかつ横向きに延びる円筒状に形成されてそれぞれが排水枝管と接続される複数の流入部と、当該側壁部の下部に設けられるかつ下方に向かうに従い縮径するテーパ状に形成される底壁部と、当該底壁部の中心部に設けられるかつ下向きに延びる円筒状に形成される前記流出部とを備える合流桝であって、
前記排水管の上端開口縁に前記底壁部が当接して当該排水管の上端開口縁で前記桝の重量を支える状態となるように前記流出部を前記排水管に挿入してゴム輪接合すると共に、
少なくとも前記ゴム輪が装着される位置より下流側において、前記排水管の内面と前記流出部の外面との間に隙間を形成して、前記桝の前記排水管に対する傾きを調整可能に接合したことによって、前記桝の設置と設置角度の調整とを同時にできるようにしたことを特徴とし、
前記排水管を傾けて設置してしまった場合でも、前記桝の設置角度を調整して前記桝を水平に設置することによって、前記流入部のそれぞれに接続される複数の前記排水枝管の勾配を確保できるようにした、桝の接合構造。
【請求項２】
前記排水管の上端開口縁は、前記コンクリート基礎の上面と略同じ高さであり、
前記流出部の外面にゴム輪溝が形成され、当該ゴム輪溝に前記ゴム輪が装着される、請求項１記載の桝の接合構造。
【請求項３】
請求項１または２記載の桝の接合構造を構築するための桝の設置方法であって、
（ａ）前記排水管の上端開口縁が前記コンクリート基礎の上面より高い位置になるように前記排水管を配置し、
（ｂ）前記排水管の周囲にコンクリートを打設して前記コンクリート基礎を形成し、
（ｃ）前記コンクリート基礎の上面から突出する前記排水管の部位を切除し、
（ｄ）前記排水管の上端開口縁に前記桝の底壁部が当接して当該排水管の上端開口縁で前記桝の重量を支える状態となるように前記桝の流出部を前記排水管に挿入してゴム輪接合する、桝の設置方法。
【請求項４】
前記ステップ（ｃ）において、前記排水管の上端開口縁が前記コンクリート基礎の上面と面一となるように前記排水管を切除し、
（ｅ）前記ステップ（ｄ）の後、前記桝の傾きを調整して水平にする、請求項３記載の桝の設置方法。
【発明の詳細な説明】
【技術分野】
【０００１】
この発明は桝の接合構造および設置方法に関し、特にたとえば、コンクリート基礎内に埋設した排水管に桝の流出部を接合する、桝の接合構造および設置方法に関する。
【背景技術】
【０００２】
背景技術の一例が特許文献１に開示される。特許文献１の技術は、屋内に用いる集合一括排水設備であって、基礎コンクリートの打設時に、排水本管および集合ますの流出部（これらは、本願発明の排水管に相当する。）を、そのコンクリート内に埋設して固定する。そして、流出部に流入部（これは、本願発明の桝に相当する。）を接合して集合ますを形成し、その流入部の流入口に、流し台などと繋がる排水枝管をワンタッチ式に接続するようにしている。
【特許文献１】特開２００２−７００９９号公報  [Ｅ０３Ｃ  １／１２]
【発明の開示】
【発明が解決しようとする課題】
【０００３】
コンクリート基礎内に埋設される排水管は、固定具を用いて鉄筋などに仮固定しておいたとしても、コンクリート基礎を打設するときに動いてしまい、傾いた状態で固定されてしまう場合がある。特許文献１の技術には、集合ますの流出部と流入部との具体的な接合方法は何ら開示されていないが、傾いた状態で固定された排水管の上に桝を接合すると、桝も傾いてしまうので、桝の流入部に接続する排水枝管の勾配を適切に確保できない場合がある。また、桝を水平に設置できなかったときに、排水枝管の勾配を確保するために排水枝管を無理に曲げて設置すれば、排水枝管および桝などに負荷がかかって損傷してしまう恐れがある上、排水管路に窪み部が形成されて排水溜まりができてしまう恐れがある。
【０００４】
それゆえに、この発明の主たる目的は、新規な、桝の接合構造および設置方法を提供することである。
【０００５】
この発明の他の目的は、コンクリート基礎に埋設する排水管を傾けて設置してしまった場合でも、その上に桝を水平に設置できる、桝の接合構造および設置方法を提供することである。
【課題を解決するための手段】
【０００６】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【０００７】
第１の発明は、コンクリート基礎内に埋設されて上向きに開口する排水管に、桝の流出部を接合する桝の接合構造において、桝は、側壁部と、当該側壁部の側部に設けられるかつ横向きに延びる円筒状に形成されてそれぞれが排水枝管と接続される複数の流入部と、当該側壁部の下部に設けられるかつ下方に向かうに従い縮径するテーパ状に形成される底壁部と、当該底壁部の中心部に設けられるかつ下向きに延びる円筒状に形成される流出部とを備える合流桝であって、排水管の上端開口縁に底壁部が当接して当該排水管の上端開口縁で桝の重量を支える状態となるように流出部を排水管に挿入してゴム輪接合すると共に、少なくともゴム輪が装着される位置より下流側において、排水管の内面と流出部の外面との間に隙間を形成して、桝の排水管に対する傾きを調整可能に接合したことによって、桝の設置と設置角度の調整とを同時にできるようにしたことを特徴とし、排水管を傾けて設置してしまった場合でも、桝の設置角度を調整して桝を水平に設置することによって、流入部のそれぞれに接続される複数の排水枝管の勾配を確保できるようにした、桝の接合構造である。
【０００８】
第１の発明では、桝の接合構造（１０）は、戸建住宅などのコンクリート基礎（１２）内に埋設した排水管（１４）に、桝（１６）の流出部（１８）を挿入して接合し、桝をコンクリート基礎上に設置するものである。桝は、側壁部（３６）と、側壁部の側部に設けられるかつ横向きに延びる円筒状に形成されてそれぞれが排水枝管（２６）と接続される複数の流入部（４６）と、側壁部の下部に設けられるかつ下方に向かうに従い縮径するテーパ状に形成される底壁部（４８）と、底壁部の中心部に設けられるかつ下向きに延びる円筒状に形成される流出部とを備える合流桝である。そして、排水管の内面、および桝の流出部の外面の一方には、ゴム輪（５４）が装着され、排水管と流出部とは、ゴム輪接合される。このゴム輪接合の際には、排水管の上端開口縁（９４）に桝の底壁部が当接して排水管の上端開口縁で桝の重量を支える状態となるようにされる。これにより、ゴム輪接合部の屈曲性の範囲内で、桝の設置角度が調整可能となる。また、排水管と桝の流出部とをゴム輪接合した際に、少なくともゴム輪が装着される位置より下流側において、排水管の内面と流出部の外面との間に隙間（５０）が形成される。たとえば、この隙間の大きさを変えることによって、ゴム輪接合部の屈曲性の範囲を変えることができ、桝の排水管に対する傾きをより適切に調整可能になる。
【０００９】
第１の発明によれば、排水管と桝の流出部とをゴム輪接合するので、排水管をコンクリート基礎内に傾けて設置してしまった場合でも、桝を水平に設置することができる。したがって、桝に接続される排水枝管の勾配を確保できる。
【００１０】
第２の発明は、第１の発明に従属し、排水管の上端開口縁は、コンクリート基礎の上面と略同じ高さであり、流出部の外面にゴム輪溝が形成され、当該ゴム輪溝にゴム輪が装着される。
【００１２】
第３の発明は、第１または第２の発明に係る桝の接合構造を構築するための桝の設置方法であって、（ａ）排水管の上端開口縁がコンクリート基礎の上面より高い位置になるように排水管を配置し、（ｂ）排水管の周囲にコンクリートを打設してコンクリート基礎を形成し、（ｃ）コンクリート基礎の上面から突出する排水管の部位を切除し、（ｄ）排水管の上端開口縁に桝の底壁部が当接して当該排水管の上端開口縁で桝の重量を支える状態となるように桝の流出部を排水管に挿入してゴム輪接合する、桝の設置方法である。
【００１３】
第３の発明では、コンクリート基礎（１２）内に埋設した排水管（１４）に、桝（１６）の流出部（１８）を挿入してゴム輪接合し、桝をコンクリート基礎上に設置する。この設置方法に用いる桝は、側壁部（３６）と、側壁部の側部に設けられるかつ横向きに延びる円筒状に形成されてそれぞれが排水枝管（２６）と接続される複数の流入部（４６）と、側壁部の下部に設けられるかつ下方に向かうに従い縮径するテーパ状に形成される底壁部（４８）と、底壁部の中心部に設けられるかつ下向きに延びる円筒状に形成される流出部とを備える合流桝である。先ず、ステップ（ａ）では、鉄筋（９０）の間を通すように排水管を配管し、その状態で仮固定する。この際には、排水管の上端開口縁（９４）がコンクリート基礎の上面（１２ａ）より高い位置になるようにする。ステップ（ｂ）では、排水管の周囲にコンクリートを打設してコンクリート基礎を形成する。これによって排水管は固定される。ステップ（ｃ）では、コンクリート基礎の上面から突出する排水管の部位を切除し、コンクリート基礎の上面と排水管の上端開口縁を面一にする。そして、ステップ（ｄ）では、たとえば外面にゴム輪（５４）を装着した桝の流出部を排水管に挿入してゴム輪接合し、桝をコンクリート基礎上に設置する。このゴム輪接合の際には、排水管の上端開口縁に桝の底壁部が当接して排水管の上端開口縁で桝の重量を支える状態となるようにされる。
【００１４】
第３の発明によれば、排水管と桝の流出部とをゴム輪接合するので、コンクリート基礎に埋設する排水管を傾けて設置してしまった場合でも、桝を水平に設置することができる。
【００１５】
また、排水管の上端開口縁とコンクリート基礎の上面とを容易に面一にすることができ、排水管の上端開口縁がコンクリート基礎の上面から突出しないので、桝を低い位置に設置できる。
【００１６】
第４の発明は、第３の発明に従属し、ステップ（ｃ）において、排水管の上端開口縁がコンクリート基礎の上面と面一となるように排水管を切除し、（ｅ）ステップ（ｄ）の後、桝の傾きを調整して水平にする。
【００１７】
第４の発明では、ステップ（ｃ）において、排水管（１４）の上端開口縁（９４）がコンクリート基礎（１２）の上面と面一となるように排水管を切除する。そして、桝（１６）の流出部（１８）を排水管に挿入してゴム輪接合した後、ステップ（ｅ）で、桝の傾きを調整し、水平にした状態で適宜な固定具を用いて固定する。
【発明の効果】
【００１８】
この発明によれば、排水管と桝の流出部とをゴム輪接合するので、排水管をコンクリート基礎内に傾けて設置してしまった場合でも、桝を水平に設置することができる。したがって、桝に接続される排水枝管の勾配を適切に確保できる。
【００１９】
この発明の上述の目的，その他の目的，特徴および利点は、図面を参照して行う以下の実施例の詳細な説明から一層明らかとなろう。
【発明を実施するための最良の形態】
【００２０】
図１および図２を参照して、この発明の一実施例である桝の接合構造１０（以下、単に「接合構造１０」という。）は、戸建住宅などのコンクリート基礎１２（以下、単に「基礎１２」という。）内に埋設した排水管１４に桝１６の流出部１８を接合して、基礎１２上、つまり床２０下に桝１６を設置するものである。基礎１２には、ベタ基礎および布基礎を含み、その基礎の立ち上がりに囲まれた部分に防湿コンクリートが打設されていてもよい。つまり、基礎１２内に埋設した排水管１４とは、コンクリートによって固定されて設置される排水管１４をいう。
【００２１】
排水管１４は、生活排水を屋外へ排出するための管であり、基礎１２内を貫通して、下水管（図示せず）などに繋がる。排水管１４は、塩化ビニルおよびポリエチレン等の合成樹脂製の直管、可とう管および継手などを適宜接続して形成され、この実施例では、排水本管２２および曲がり継手２４を含む。排水本管２２は、略水平方向に延び、その下流側端部は下水管などと接続され、その上流側端部は、曲がり継手２４の下流側端部と接続される。曲がり継手２４は、上流側に向かうに従い上向きに曲がり、その上流側端部は、鉛直上向きに延びる。曲がり継手２４の上流側端部は、直管状の所謂プレーンエンドとなっており、そこに桝１６の流出部１８が挿入されて、排水管１４と桝１６とが接合される。
【００２２】
桝１６は、トイレや風呂などの住設機器から排出された生活排水を流す複数の排水枝管２６と、上述の排水管１４とを繋ぐものであり、側方から流入する排水を下方へ排出する、所謂ドロップ桝である。桝１６としては、本願出願人が先に出願した特願２００７−９２３３２号において提案したものと同様のものを使用することができる。
【００２３】
具体的には、桝１６は、塩化ビニル等の合成樹脂によって形成され、桝本体３０、仕切体３２および蓋３４を含む。
【００２４】
図３に示すように、桝本体３０は、射出成形などによって形成され、略円筒形状の側壁部３６を含む。側壁部３６の内径は、たとえば１５５ｍｍである。側壁部３６の上端には、点検口として利用される上端開口部３８が形成され、そこに後述する蓋３４が着脱自在に接続される。
【００２５】
また、側壁部３６は、一方が内側に向かって凹んでおり、そこに段差部４０が形成される。段差部４０の両側端上部のそれぞれは段差状になっており、そこに第１支持部４２が形成され、その第１支持部４２の水平面同士を結ぶように、円弧状に突出する第２支持部４４が形成される。
【００２６】
側壁部３６の段差部４０側を除く３方側のそれぞれには、流入部４６が設けられる。流入部４６は、排水枝管２６と接続される接続部として機能し、排水枝管２６からの排水が流入する流入口として利用される。この実施例では、３つの流入部４６が設けられ、３つの排水枝管２６からの排水が流入（合流）可能となっている。流入部４６は、受口構造を有する円筒形状に形成され、その内径はたとえば９０ｍｍである。
【００２７】
また、側壁部３６の下部には、テーパ状の底壁部４８が形成され、底壁部４８の上面、すなわち桝本体３６の底面は中心方向に向かって下り勾配となる。この底壁部４８の中心部に、円筒形状の流出部１８が下向きに延びて形成される。
【００２８】
流出部１８は、排水管１４（この実施例では曲がり継手２４）に挿入されて排水管１４と接続（接合）される接続部として機能し、排水管１４へと排水を流出する流出口として利用される。流出部１８の外径は、たとえば１０６ｍｍであり、排水管１４の内径よりやや小さく設定される。これによって、排水管１４に流出部１８を挿入したときには、排水管１４の内面と流出部１８の外面との間に隙間５０（図２参照）が形成される。また、流出部１８の高さは、たとえば４０ｍｍである。
【００２９】
流出部１８の外面には、周方向に延びるゴム輪溝５２が形成され、ゴム輪溝５２には、ゴム輪５４が装着される。ゴム輪溝５２を形成する高さ位置は、特に限定されないが、桝１６を設置して固定するときに、排水管１４から桝１６がずり上がってしまう場合があるので、排水管１４と桝１６とを適切に接合できるように、ゴム輪溝５２は、流出部１８の外面下部に形成することが望ましい。
【００３０】
ゴム輪５４は、スチレンブタジエンゴム（ＳＢＲ）およびエチレンプロピレンゴム（ＥＰＤＭ）等のゴムによって形成される円環状のパッキンである。ゴム輪溝５２にゴム輪５４が装着されると、ゴム輪５４の外周部は、流出部１８の外面から突出した状態となる。ゴム輪５４としては、円形の断面形状を有するＯリングを用いることもできるし、これに代えて、矩形断面および異形断面などの他の任意の断面形状を有するものを用いることもできる。
【００３１】
また、桝本体３０の内部には、仕切体３２が着脱自在に設けられる。図４に示すように、仕切体３２は、射出成形などによって形成され、当接板５６および仕切板５８を備える。
【００３２】
当接板５６は、桝本体３０の段差部４０と対向する位置に形成される板状体であって、その両側部上部は、段差部４０の両側端と沿う。また、当接板５６の上端部には、外側に向かって突出する第１当接部６０が形成され、桝本体３０に仕切体３２を取り付けたときには、第１当接部６０と第１支持部４２とが当接する（図２参照）。
【００３３】
仕切板５８は、各流入部４６の間を区画するものであり、各流入部４６に対向する位置のそれぞれに形成される。具体的には、仕切板５８は、流入部４６に対向する主面６２を有し、主面６２の下端中央から上方および両側方に向かうに伴い、流入部４６に向かって湾曲する板状体に形成される。つまり、仕切板５８は、流入部４６の桝本体３０中心側の開口部６４を庇状に覆い、仕切板５８の側面上部６６は、開口部６４の上側半周に亘って、桝本体３０の側壁部３６の内面に沿う。また、仕切板５８の側面下部６８は、下端に向かうに伴い内側に向かって放物線を描くように湾曲する。つまり、仕切板５８の側面下部６８と桝本体３０の側壁部３６の内面とは離れており、その間には空間が形成される。この空間は、仕切板５８によって区画される排水の通路同士を、桝本体３０の周方向に連通する。
【００３４】
また、仕切体３２は、その外面が仕切板５８の側面上部６６と同一面となる壁部７０を備える。この壁部７０は、当接板５６と一体となって略円筒形に形成され、壁部７０の外面は側壁部３６の内面に沿う。壁部７０の上端には、第１当接部６０と一体となって外側に向かって突出する第２当接部７２が形成される。桝本体３０に仕切体３２を取り付けたときには、第２当接部７２と第２支持部４４とが当接し、第１当接部６０および第２当接部７２の上面は、段差部４０の上面と同一面を形成する。
【００３５】
このような仕切体３２を用いると、流入部４６から流入する排水は案内されて、排水の流れ方向を流出部１８の方向、すなわち下向きにスムーズに変化させることができるので、他の流入部４６への排水の逆流を防止できる。また、一度に多量の排水が桝本体３０内に流入した場合には、排水は下方向に流れて流出部１８から流出すると共に、仕切板５８の側面下部６８と側壁部３６との間の空間を通って周方向（横方向）にも流れる。つまり、各流入部４６に対応する仕切板５８によって区画された排水の通路だけでなく、他の流入部４６に対応する排水の通路を利用して排水を排出することができので、桝本体３０内での満水状態の発生を防止できる。したがって、仕切板５８によって区画された部位における排水の通路を確保して満水状態を防止するために、桝本体３０の管径を大きくとる必要がなく、桝１６を小型化できる。なお、本発明の接合構造１０であれば、管径が小さく、接続部の遊びが小さい場合でも、確実に接続することができる。
【００３６】
また、上述したように、桝本体３０の上端開口部３８には、たとえばバヨネット結合を利用して、蓋３４が着脱自在に設けられる。図５に示すように、蓋３４は、射出成形などによって形成され、有頂円筒状の内筒部７４を備える。内筒部７４の外面には、鍔部７６が形成され、この鍔部７６の下面が桝本体３０の上端開口部３８と当接する。さらに、内筒部７４には、鍔部７６よりも高い位置に通気孔７８が設けられる。また、鍔部７６の下面には、円筒形状の外筒部８０が形成される。外筒部８０の外面は、桝本体３０の側壁部３６の内面に沿い、外筒部８０の外面に装着されるＯリング８２によって、桝本体３０の側壁部３６と外筒部８０との間の気密性および水密性が保たれる。
【００３７】
桝本体３０に仕切体３２と蓋３４とを取り付けたときには、外筒部８０の下面は、第１当接部６０、第２当接部７２および段差部４２の各上面と当接し、仕切体３２は、桝本体３０によって支持されると共に、蓋３４によって押さえ込まれる状態となる。これによって、仕切体３２はしっかりと固定されるので、桝本体３０への排水流入時に排水が仕切体３２にぶつかる等しても、仕切体３２は、がたつかない。
【００３８】
以下には、基礎１２に埋設された排水管１４に桝１６の流出部１８をゴム輪接合して、基礎１２上に桝１６を設置する方法について説明する。
【００３９】
図６を参照して、先ず、鉄筋９０を配筋するときに、その鉄筋９０の間を通して排水管１４を配管し、適宜な固定具９２を用いて排水管１４を鉄筋９０などに仮固定する。この際には、排水管１４の上端開口縁９４（曲がり継手２４の上流側の端）が、基礎１２の上面１２ａが形成される位置よりも高い位置にくるように、排水管１４を設置する。また、排水管１４の上端開口縁９４には、有頂円筒状のキャップ、およびテープ等の封止具９６を装着し、その開口を封止しておく。このように、封止具９６を用いて排水管１４の上端開口を封止することによって、コンクリート打設時にコンクリートが排水管１４内に流れ込んだり、ゴミ等が排水管１４内に侵入したりすることを防止できる。
【００４０】
次に、図７に示すように、コンクリートを打設して、基礎１２を形成する。基礎１２の養生後、封止具９６を外し、基礎１２の上面１２ａから突出した排水管１４の端部分を切除し、基礎１２の上面１２ａと排水管１４の上端開口縁９４とを面一にする。このように、排水管１４の上端開口縁９４が基礎１２の上面１２ａより高くなるように設置し、基礎１２の形成後、排水管１４の端部分を切除する方法を用いることによって、容易に、基礎１２の上面１２ａと排水管１４の上端開口縁９４とを面一にすることができる。つまり、排水管１４の上端開口縁９４がコンクリート基礎１２の上面１２ａから突出しないようにできるので、これによって、桝１６を可及的低位置に設置でき、設置高さが制限される床２０下にも適切に接合構造１０を適用できる。
【００４１】
続いて、ゴム輪５４を装着した桝１６の流出部１８を、排水管１４の上端開口から挿入し、排水管１４と桝１６の流出部１８とをゴム輪接合することによって、桝１６を基礎１２上に設置する（図１参照）。
【００４２】
このように、排水管１４と桝１６の流出部１８とをゴム輪接合すると、ゴム輪５４の外周部が排水管１４の内面と当接して、水密性および気密性が確保される。また、ゴム輪５４の有する柔軟性と、排水管１４の内面と流出部１８の外面との間に形成される隙間５０とによって、排水管１４と桝１６とは、屈曲性を有して接続される。つまり、ゴム輪接合部の屈曲性の範囲内で、桝１６の設置角度が調整可能となる。
【００４３】
したがって、排水管１４を基礎１２内に傾けて設置してしまった場合でも、桝１６を水平に設置することができる。具体的には、排水管１４に桝１６の流出部１８を挿入してゴム輪接合した後、桝１６の各流入部４６に排水枝管２６を接着接合する。そして、桝１６を水平にした状態で、適宜な固定具（図示せず）を用いて排水枝管２６を基礎１２および床２０などに固定する。これによって、桝１６も水平な状態で固定され、排水枝管２６の所定勾配が適切に確保される。ただし、排水枝管２６に設ける固定具と共に、或いは代わりに、桝１６自体、たとえば流入部４６の外面に設ける固定具によって、桝１６を水平な状態で固定してもよい。
【００４４】
この実施例によれば、排水管１４と桝１６の流出部１８とをゴム輪接合するので、排水管１４を基礎内に傾けて設置してしまった場合でも、桝１６を水平に設置することができ、桝１６に接続される排水枝管２６の勾配を適切に確保できる。
【００４５】
なお、ゴム輪接合部の屈曲性の範囲は、隙間５０の大きさおよび形状、ならびにゴム輪５４の柔軟性および径方向の厚さなどを変えることによって、適宜設定することができる。たとえば、排水管１４の内径と流出部１８の外径との差を大きくして隙間５０を大きくし、ゴム輪５４の外周部が流出部１８の外面から突出する高さを高くすれば、排水管１４と流出部１８との水密性などを保持しつつ、屈曲性の範囲を大きくすることができる。ただし、隙間５０を大きくしすぎると、水密性などに影響がでる恐れがある。また、排水管１４が大きく傾いて設置される可能性も少ないので、ゴム輪接合部の屈曲性の範囲は、適宜な範囲に設定するとよく、あまり大きくする必要はない。
【００４６】
また、たとえば、図８に示すように、桝１６の流出部１８を下方に向かうに従い縮径するテーパ状に形成して、隙間５０が下方（つまり下流側）に向かうに従い拡がるようにすれば、ゴム輪接合部の屈曲性の範囲を大きくすることができる。この際には、ゴム輪溝５２の形成位置を流出部１８の外面上部にすれば、より屈曲性の範囲を大きくすることができる。ただし、上述したように、桝１６を固定するときに、桝１６がずり上がってゴム輪５４が排水管１４から抜けてしまう恐れがあるので、ゴム輪５４を流出部１８の外面上部に装着するときには注意が必要である。また、このように流出部１８を縮径する場合には、ゴム輪溝５２の形成位置、つまりゴム輪５４を装着する位置より下部から、流出部１８が縮径されるようにしてもよい。
【００４７】
なお、上述の実施例では、ゴム輪５４を桝１６の流出部１８の外面に装着するようにしたが、これに限定されない。たとえば、図９に示す接合構造１０のように、排水管１４の内面にゴム輪５４を装着することもできる。以下に、図９に示す実施例について説明するが、上述の実施例と重複する部分については、説明を省略或いは簡略化して行う。
【００４８】
図９に示す実施例では、排水管１４の上流側端部がゴム輪受口となっている。つまり、排水管１４の上流側端部の内面に、周方向に延びるゴム輪溝５２が形成され、ゴム輪溝５２には、その内周部が排水管１４の内面から突出するように、ゴム輪５４が装着される。そして、このゴム輪受口に、円筒形状に形成される桝１６の流出部１８が挿入される。
【００４９】
この場合には、排水管１４の上端開口縁９４と近い位置にゴム輪溝５２を設けることが望ましい。これは、排水管１４から桝１６がずり上がってしまった場合でも、ゴム輪５４が流出部１８と当接して、排水管１４と桝１６とを適切に接合できるようにするためである。また、これによって、ゴム輪接合部の屈曲性の範囲を大きくすることができるからである。
【００５０】
また、排水管１４の上流側端部は、ゴム輪溝５２より下部において、下方に向かうに従い拡径し、桝１６の流出部１８の端の位置より下方の位置で縮径する、所謂ヒップアップ形状に形成するとよい。これによって、排水管１４の内面と流出部１８の外面との隙間５０が、ゴム輪溝５２より下部において、下方に向かうに従い拡径する。また、排水管１４の上流側端部は、ゴム輪溝５２より上部において、上方に向かって拡径するように形成するとよい。排水管１４の上流側端部をこのような形状に形成することよって、ゴム輪５４と流出部１８とが当接し易くなると共に、ゴム輪接合部の屈曲性の範囲をより大きくすることができる。なお、排水管１４の内面にゴム輪５４を装着する場合には、排水管１４の上流側端部を必ずしもヒップアップ形状にする必要はなく、単に円筒状に形成して、その内面にゴム輪溝５２を形成するだけでもよい。また、この際には、図８に示す実施例と同様に、流出部１８を下方に向かうに従い縮径するテーパ状に形成してもよい。
【００５１】
以下には、図９に示す接合構造１０を適用して、基礎１２上に桝１６を設置する方法について説明する。
【００５２】
先ず、鉄筋９０を配筋するときに、その鉄筋９０の間を通して排水管１４を配管し、適宜な固定具９２を用いて排水管１４を鉄筋などに仮固定する。この際には、図１０に示すように、排水管１４の上端開口縁９４が、基礎１２の上面１２ａが形成される高さとほぼ同じ高さにくるように、排水管１４を設置する。これは、図１に示す実施例とは異なり、排水管１４にゴム輪５４が装着されるので、コンクリート打設後に排水管１４の端部を切断するようにすると、ゴム輪５４の装着高さが変わって適切にゴム輪接合できなくなる恐れがあるからである。
【００５３】
また、図１に示す実施例と同様に、コンクリートの打設が終わるまでは、排水管１４の上端開口縁９４には封止具９６を装着し、その開口を封止しておく。上述したように、排水管１４の上端開口縁９４の高さまでコンクリートが打設されるため、排水管１４の外面まで覆うような封止具９６を用いることはできないので、この場合には、円柱状の差込型の封止具９６を用いるとよい。たとえば、その下部が、排水管１４とゴム輪接合できる大きさの外径を有する円筒状に形成され、その上部に、上方に向かって拡径するテーパ状部、および有頂円筒状部が形成される封止具９６（図１０参照）を用いるとよい。また、たとえば、その上端部が排水管１４から突出するように、管を排水管１４に挿し込み、その管の上端開口をキャップ等の封止具で封止するようにしてもよい。
【００５４】
排水管１４の仮固定および封止具９６の装着が終了すると、次に、コンクリートを打設して、基礎１２を形成する。そして、桝１６の流出部１８を、排水管１４のゴム輪受口に挿入し、排水管１４と桝１６の流出部１８とをゴム輪接合することによって、桝１６を基礎１２上に設置する。
【００５５】
このようにしても、排水管１４と桝１６とは、屈曲性を有して接続され、ゴム輪接合部の屈曲性の範囲内で、桝１６の設置角度が調整可能となる。したがって、排水管１４を基礎１２内に傾けて設置してしまった場合でも、桝１６を水平に設置することができ、桝１６に接続される排水枝管２６の勾配を適切に確保できる。
【００５６】
また、上述の各実施例では、図２−図５に示すような桝１６を用いたが、桝１６の形状および構成は、これに限定されず、接合構造１０は、適宜な形状および構成を有する桝１６に適用できる。たとえば、仕切体３２および一方通気弁８４などの無い桝１６を用いてもよい。また、桝１６は、必ずしも複数の流入部４６を有する必要は無く、１つの流入部４６を有する桝１６の設置に接合構造１０を適用することもできる。
【００５７】
さらに、桝１６は、排水を下方に排出する代わりに、排水を側方に排出するようにしてもよい。つまり、流出部１８を側方に向けて開口するように形成することもできる。たとえば、基礎１２の立ち上がり部を水平方向に貫通させた排水管１４に、水平方向に延びる流出部１８を挿入してゴム輪接合し、桝１６を基礎１２上に設置するとよい。このようにしても、ゴム輪接合部の屈曲性の範囲内で、桝１６の設置角度が調整可能となるので、排水管１４を傾けて設置してしまった場合でも、桝１６を水平に設置することができ、桝１６に接続される排水枝管２６の勾配を適切に確保できる。
【００５８】
また、上述の各実施例では、桝１６の流入部４６と排水枝管２６とを接着接合によって接合したが、流入部４６と排水枝管２６との接続方法には、適宜な方法を用いることができる。たとえば、流入部４６と排水枝管２６とをゴム輪接合すれば、この部分においても屈曲性が付与され、排水枝管２６の勾配を確保し易くなる。
【００５９】
また、上述の各実施例では、１つのゴム輪５４を、桝１６の流出部１８の外面、または排水管１４の内面の一方に装着するようにしたが、これに限定されない。たとえば、２つ以上のゴム輪５４を装着することもできるし、桝１６の流出部１８の外面および排水管１４の内面の双方にゴム輪５４を装着することもできる。
【図面の簡単な説明】
【００６０】
【図１】この発明の桝の接合構造の一実施例を示す断面図である。
【図２】図１の実施例の要部を示す断面図である。
【図３】図１の桝が備える桝本体を示す図解図である。
【図４】図１の桝が備える仕切体を示す図解図である。
【図５】図１の桝が備える蓋を示す図解図である。
【図６】図１の実施例を形成する方法において、排水管を鉄筋に仮固定した状態を示す概略断面図である。
【図７】図１の実施例を形成する方法において、コンクリート基礎を形成して、排水管の端部を切除した状態を示す概略断面図である。
【図８】この発明の桝の接合構造の他の実施例の要部を示す断面図である。
【図９】この発明の桝の接合構造のさらに他の実施例の要部を示す断面図である。
【図１０】図９の実施例を形成する方法において、排水管を鉄筋に仮固定した状態の要部を示す概略断面図である。
【符号の説明】
【００６１】
１０  …桝の接合構造
１２  …コンクリート基礎
１４  …排水管
１６  …桝
１８  …流出部
２６  …排水枝管
５０  …排水管と流出部との間の隙間
５２  …ゴム輪溝
５４  …ゴム輪
９６  …封止具
【図１】
0005469807.tif 000002
【図２】
0005469807.tif 000003
【図３】
0005469807.tif 000004
【図４】
0005469807.tif 000005
【図５】
0005469807.tif 000006
【図６】
0005469807.tif 000007
【図７】
0005469807.tif 000008
【図８】
0005469807.tif 000009
【図９】
0005469807.tif 000010
【図１０】
0005469807.tif 000011